(57)【要約】【課題】倍速以上の駆動に対応しておらず、各画素に蓄積容量を備えたアクティブマトリックス方式の液晶パネルを、２ライン反転駆動方式により倍速駆動しても画面上に横筋が発生しないようにする。【解決手段】各行ごとに設けられた蓄積容量線を備えており、上記蓄積容量の一端が上記各画素の画素電極に接続され、上記蓄積容量の他端が上記蓄積容量線に接続され、倍速以上で上記液晶パネルを駆動しつつ２ライン反転駆動を行うにあたって、各行の蓄積容量線に印加する電圧を調整することにより、隣接して同極性となる２行を構成する画素であって同一列上で隣接する画素の間に発生する液晶容量の充電度の相違を解消する。【選択図】図４
2012037772.tif 000002
【特許請求の範囲】
【請求項１】
所定速度以上の駆動に対応しておらず、各画素に蓄積容量を備えたアクティブマトリックス方式の液晶パネルを備えた液晶表示装置において、
各行ごとに設けられた蓄積容量線を備えており、
上記蓄積容量の一端が上記各画素の画素電極に接続され、
上記蓄積容量の他端が上記蓄積容量線に接続され、
上記所定速度以上で上記液晶パネルを駆動しつつｎライン反転駆動を行うにあたって、各行の蓄積容量線に印加する電圧を調整することにより、隣接して同極性となるｎ行を構成する画素であって同一列上で隣接する画素の間に発生する液晶容量の充電度の相違を解消する駆動回路を備えることを特徴とする液晶表示装置（ｎは２以上の整数）。
【請求項２】
上記所定速度は倍速であり、
上記駆動回路は、倍速以上の速度で上記液晶パネルを駆動しつつ２ライン反転駆動を行うにあたって、各行の蓄積容量線に印加する電圧を調整することにより、隣接して同極性となる２行を構成する画素であって同一列上で隣接する画素の間に発生する液晶容量の充電度の相違を解消する請求項１に記載の液晶表示装置。
【請求項３】
上記駆動回路は、隣接して同極性となる２行のうちで最初にスキャンされる行の蓄積容量線に対して、上記液晶容量の共通電極に印加されるコモン電圧を当該行の極性と反対方向に所定量だけシフトさせた電圧を印加するとともに、隣接して同極性となる２行のうちで２番目にスキャンされる行の蓄積容量線に対して、上記液晶容量の共通電極に印加されるコモン電圧を当該行の極性と同じ方向に所定量だけシフトさせた電圧を印加することにより、隣接して同極性となる２行を構成する画素であって同一列上で隣接する画素の間に発生する液晶容量の充電度の相違を解消する請求項２に記載の液晶表示装置。
【請求項４】
上記駆動回路は、上記液晶パネルの蓄積容量電極に印加する電圧を行ごとに制御する蓄積容量電圧生成部を備えており、
上記蓄積容量電圧生成部は、
隣接して正極性となる２行のうちで最初にスキャンされる行の蓄積容量線に対して、上記液晶容量の共通電極に印加されるコモン電圧に基いて当該コモン電圧を上記所定量だけ低下させた第１電圧を印加し、
隣接して正極性となる２行のうちで２番目にスキャンされる行の蓄積容量線に対して、上記液晶容量の共通電極に印加されるコモン電圧に基いて当該コモン電圧を上記所定量だけ上昇させた第２電圧を印加し、
隣接して負極性となる２行のうちで最初にスキャンされる行の蓄積容量線に対して上記第２電圧を印加し、
隣接して負極性となる２行のうちで２番目にスキャンされる行の蓄積容量線に対して上記第１電圧を印加する請求項２または請求項３に記載の液晶表示装置。
【請求項５】
上記液晶パネルは倍速駆動以上の駆動速度に対応しておらず、
倍速で上記液晶パネルを駆動しつつ２ライン反転駆動を行うにあたって上記液晶パネルの蓄積容量電極に印加する電圧を行ごとに制御することにより隣接して同極性となる２行を構成する画素であって同一列上で隣接する画素の間に発生する液晶容量の充電度の相違を解消する蓄積容量電圧生成部を備えた駆動回路を備え、
上記蓄積容量電圧生成部は、倍速で上記液晶パネルを駆動しつつ２ライン反転駆動を行うにあたって、隣接して正極性となる２行のうちで最初にスキャンされる行の蓄積容量線に対して、上記液晶容量の共通電極に印加されるコモン電圧を当該行の極性と反対方向に所定量だけシフトさせた第１電圧を印加し、隣接して正極性となる２行のうちで２番目にスキャンされる行の蓄積容量線に対して、上記液晶容量の共通電極に印加されるコモン電圧当該行の極性と同じ方向に所定量だけシフトさせた第２電圧を印加し、隣接して負極性となる２行のうちで最初にスキャンされる行の蓄積容量線に対して上記第２電圧を印加し、隣接して負極性となる２行のうちで２番目にスキャンされる行の蓄積容量線に対して上記第１電圧を印加する請求項１に記載の液晶表示装置。
【発明の詳細な説明】
【技術分野】
【０００１】
本発明は、液晶表示装置に関し、特に、所定速度以上での駆動に対応しておらず、各画素に蓄積容量を備えたアクティブマトリックス方式の液晶パネルを備えた液晶表示装置に関する。
【背景技術】
【０００２】
液晶表示装置の画面に生じる映像の乱れには、様々な原因が指摘されている。その１つとして、特許文献１には、１フィールドの映像信号を倍速変換によって擬似的に１フレームの映像信号に変換して表示させる際に、複数本の映像信号群ごとに例えば１本の割合で映像信号を間引いて表示し、表示画面の上下部分の映像信号のみが欠落することを防止することについて開示されている。
【０００３】
また、特許文献２には、液晶表示装置のフレーム反転倍速駆動におけるフリッカの発生を抑制することを目的として、正極性の映像データに基く表示画像の明るさを調整するための特性データを予め格納されたＬＵＴと、負極性の映像データに基く表示画像の明るさを調整するための特性データを格納されたＬＵＴとを有し、映像データの極性に応じてこれらＬＵＴを切替えて、正極性および負極性の映像データに基く表示画像の明るさを調整するようにすることについて開示されている。
【先行技術文献】
【特許文献】
【０００４】
【特許文献１】特開平５−２３６４３５号公報
【特許文献２】特開２００７−３０４３２５号公報
【発明の概要】
【発明が解決しようとする課題】
【０００５】
近年、液晶パネルの動画ブレを改善するために、駆動速度を１２０Ｈｚとした倍速駆動方式が普及してきている。また、この倍速駆動と同時に、画素電極に与える電圧の正負を共通電極に対して交互に反転する反転駆動方式が利用されることがある。反転駆動方式には、ゲートライン単位で各ラインをスキャンするたびに極性を反転させるライン反転、画素単位で極性を反転させるドット反転、１フレーム単位で極性を反転させるフレーム反転、などの方式が知られている。
【０００６】
これら反転駆動方式のうち、ライン反転駆動方式には、１ゲートライン毎に正負を反転する１ライン反転駆動、２ゲートライン毎に正負を反転する２ライン反転駆動、等がある。ここで、本発明の発明者は、液晶パネルのコスト削減や消費電力削減のため、倍速駆動に対応していない液晶パネルを利用して倍速駆動を試みた。すると、倍速駆動に対応していない液晶パネルを利用して２ライン反転駆動方式で倍速駆動を行うと、画面上に横筋が発生するという課題を発見した。
【０００７】
本発明は、上記課題に鑑みてなされたものであり、所定速度以上での駆動に対応しておらず、各画素に蓄積容量を備えたアクティブマトリックス方式の液晶パネルを、ｎライン反転駆動方式（ｎは２以上の整数）により上記所定速度以上で駆動しても画面上に横筋が発生しないようにすることを目的とする。
【課題を解決するための手段】
【０００８】
上記課題を解決するために、本発明の請求項１にかかる発明では、所定速度以上の駆動に対応しておらず、各画素に蓄積容量を備えたアクティブマトリックス方式の液晶パネルを備えた液晶表示装置において、各行ごとに設けられた蓄積容量線を備えており、上記蓄積容量の一端が上記各画素の画素電極に接続され、上記蓄積容量の他端が上記蓄積容量線に接続され、上記所定速度以上で上記液晶パネルを駆動しつつｎライン反転駆動を行うにあたって、各行の蓄積容量線に印加する電圧を調整することにより、隣接して同極性となるｎ行を構成する画素であって同一列上で隣接する画素の間に発生する液晶容量の充電度の相違を解消する駆動回路を備えることを特徴とする構成としてある（ｎは２以上の整数）。
【０００９】
上記構成において、液晶パネルは各画素に液晶容量と並列に蓄積容量を備えており、液晶容量の共通電極にはコモン電圧が印加され、蓄積容量において液晶容量の画素電極に接続されない側の電極は蓄積容量線に接続されている。蓄積容量線は、液晶パネルの各行毎に設けられており、各行の蓄積容量線は個別の電圧を印加できるようになっている。
【００１０】
このように構成された液晶パネルを駆動する駆動回路は、上記所定速度以上で上記液晶パネルを駆動しつつｎライン反転駆動を行うにあたって、各行の蓄積容量線に印加する電圧を調整することにより、隣接して同極性となるｎ行を構成する画素であって同一列上で隣接する画素の間に発生する液晶容量の充電度の相違を解消する。よって、隣接して同極性となるｎ行を構成する画素の間で充電度の相違が解消され、画面上に横筋が発生しないようになる。
【発明の効果】
【００１１】
以上説明したように本発明によれば、所定速度以上での駆動に対応しておらず、各画素に蓄積容量を備えたアクティブマトリックス方式の液晶パネルを、ｎライン反転駆動方式（ｎは２以上の整数）により上記所定速度以上で駆動しても画面上に横筋が発生しないようにすることが可能な液晶表示装置を提供することができる。
請求項２にかかる発明によれば、倍速以上の駆動速度に対応しない液晶パネルを倍速以上の駆動速度で２ライン反転駆動で駆動しても、画面上に横筋が発生しないようにすることができる。
請求項３にかかる発明によれば、隣接して同極性となる２行の間に発生する充電度の相違を解消するに当たり蓄積容量線に印加する電圧を、コモン電圧から必要最小限のシフト量で実現することが出来る。
請求項４にかかる発明によれば、隣接して同極性となる２行の間に発生する充電度の相違を解消するに当たり蓄積容量線に印加する電圧について、コモン電圧からのシフト量を必要最小限に止めつつ、全ての行に対して共通の所定量をシフト量として利用することが出来る。
請求項５のような、より具体的な構成において、上述した請求項１〜請求項４の各発明と同様の作用を奏することはいうまでもない。
【図面の簡単な説明】
【００１２】
【図１】液晶表示装置の構成図である。
【図２】液晶パネルの等価回路を示す要部回路図である。
【図３】１ライン反転方式と２ライン反転方式とにおける各行の充電量の違い説明する図である。
【図４】倍速駆動に対応しない液晶パネルを倍速駆動しつつ２ライン反転方式で駆動したときの画素容量の充電量を示す図である。
【図５】ＣＳ電圧生成部の構成を示す要部回路図である。
【発明を実施するための形態】
【００１３】
本発明の選択的な一態様として、上記所定速度は倍速であり、上記駆動回路は、上記所定速度以上の速度で上記液晶パネルを駆動しつつ２ライン反転駆動を行うにあたって、各行の蓄積容量線に印加する電圧を調整することにより、隣接して同極性となる２行を構成する画素であって同一列上で隣接する画素の間に発生する液晶容量の充電度の相違を解消する構成としてある。当該構成によれば、倍速以上の駆動速度に対応しない液晶パネルを倍速以上の駆動速度で２ライン反転駆動で駆動しても、画面上に横筋が発生しないようにすることができる。
【００１４】
本発明の選択的な一態様として、上記駆動回路は、隣接して同極性となる２行のうちで最初にスキャンされる行の蓄積容量線に対して、上記液晶容量の共通電極に印加されるコモン電圧を当該行の極性と反対方向に所定量だけシフトさせた電圧を印加するとともに、隣接して同極性となる２行のうちで２番目にスキャンされる行の蓄積容量線に対して、上記液晶容量の共通電極に印加されるコモン電圧を当該行の極性と同じ方向に所定量だけシフトさせた電圧を印加することにより、隣接して同極性となる２行を構成する画素であって同一列上で隣接する画素の間に発生する液晶容量の充電度の相違を解消する構成としてある。当該構成によれば、隣接して同極性となる２行の間に発生する充電度の相違を解消するに当たり蓄積容量線に印加する電圧を、コモン電圧から必要最小限のシフト量で実現することが出来る。
【００１５】
本発明の選択的な一態様として、上記駆動回路は、上記液晶パネルの蓄積容量電極に印加する電圧を行ごとに制御する蓄積容量電圧生成部を備えており、上記蓄積容量電圧生成部は、隣接して正極性となる２行のうちで最初にスキャンされる行の蓄積容量線に対して、上記液晶容量の共通電極に印加されるコモン電圧に基いて当該コモン電圧を上記所定量だけ低下させた第１電圧を印加し、隣接して正極性となる２行のうちで２番目にスキャンされる行の蓄積容量線に対して、上記液晶容量の共通電極に印加されるコモン電圧に基いて当該コモン電圧を上記所定量だけ上昇させた第２電圧を印加し、隣接して負極性となる２行のうちで最初にスキャンされる行の蓄積容量線に対して上記第２電圧を印加し、隣接して負極性となる２行のうちで２番目にスキャンされる行の蓄積容量線に対して上記第１電圧を印加する構成としてある。当該構成によれば、隣接して同極性となる２行の間に発生する充電度の相違を解消するに当たり蓄積容量線に印加する電圧について、コモン電圧からのシフト量を必要最小限に止めつつ、全ての行に対して共通の所定量をシフト量として利用することが出来る。
【００１６】
本発明の選択的な一態様として、上記液晶パネルは倍速駆動以上の駆動速度に対応しておらず、倍速で上記液晶パネルを駆動しつつ２ライン反転駆動を行うにあたって上記液晶パネルの蓄積容量電極に印加する電圧を行ごとに制御することにより隣接して同極性となる２行を構成する画素であって同一列上で隣接する画素の間に発生する液晶容量の充電度の相違を解消する蓄積容量電圧生成部を備えた駆動回路を備え、上記蓄積容量電圧生成部は、倍速で上記液晶パネルを駆動しつつ２ライン反転駆動を行うにあたって、隣接して正極性となる２行のうちで最初にスキャンされる行の蓄積容量線に対して、上記液晶容量の共通電極に印加されるコモン電圧を当該行の極性と反対方向に所定量だけシフトさせた第１電圧を印加し、隣接して正極性となる２行のうちで２番目にスキャンされる行の蓄積容量線に対して、上記液晶容量の共通電極に印加されるコモン電圧当該行の極性と同じ方向に所定量だけシフトさせた第２電圧を印加し、隣接して負極性となる２行のうちで最初にスキャンされる行の蓄積容量線に対して上記第２電圧を印加し、隣接して負極性となる２行のうちで２番目にスキャンされる行の蓄積容量線に対して上記第１電圧を印加する構成としてある。
【００１７】
以下、下記の順序に従って本発明の実施形態を説明する。
（１）液晶表示装置の構成：
（２）液晶パネルの構成：
（３）ライン反転における充電量：
（４）蓄積容量電圧の調整：
（５）まとめと変形例：
【００１８】
（１）液晶表示装置の構成： 
図１は、液晶表示装置の構成図である。同図に示すように、液晶表示装置１００は、矩形の液晶パネル１０と、液晶パネル１０の駆動回路２０と、駆動回路２０に各種の制御信号を入力するタイミングコントローラーＴ−ｃｏｎと、液晶パネル１０に対してコモン電圧を供給するコモン電圧生成部１１と、液晶パネル１０に対して蓄積容量電圧を供給するＣＳ電圧生成部１２と、を備える。液晶パネル１０は、アクティブマトリックス方式である。液晶表示装置１００は、その他、不図示の筐体や電源回路等の液晶表示装置を実現するために必要な構成を備えている。
【００１９】
同図において、液晶表示装置１００のタイミングコントローラーＴ−ｃｏｎは、映像処理部２００から、映像データや水平垂直同期信号等の液晶パネル１０の駆動に必要な各種の制御信号を入力されている。映像処理部２００は、液晶表示装置１００の内部構成であっても外部機器として構成されてもよい。例えば、液晶テレビジョンであれば映像処理部２００は、チューナー回路等により構成される液晶表示装置１００の内部構成としたり、外部入力端子に接続された外付けのＤＶＤプレーヤとしたりすることができる。
【００２０】
駆動回路２０は、液晶パネル１０のデータ線を駆動するためのデータドライバー２０ａと、液晶パネル１０のゲート配線を駆動するためのゲートドライバー２０ｂを備える。タイミングコントローラーＴ−ｃｏｎの出力する制御信号には、ゲートドライバー２０ｂがゲート配線の駆動に利用する制御信号としてゲートスタートパルスＧＳＰとゲートクロックＧＣＫを出力し、データドライバー２０ａがデータ線の駆動に利用する制御信号としてデータスタートパルスＤＳＰとデータクロックＤＣＫと極性信号ＰＯＬとを含んでいる。
【００２１】
極性信号ＰＯＬは、データドライバー２０ａが各行のスキャン時に印加するソース信号の極性を示すものであり、１ライン反転駆動方式では１行ごとに極性が反転され、２ライン反転駆動方式では２行ごとに極性が反転される。ライン反転は、１ライン毎に行ってもよいし、２ライン毎に行ってもよいし、２以上のｎライン毎に行ってもよい。すなわち、隣接して同極性となる行数は適宜に選択可能である。
【００２２】
（２）液晶パネルの構成： 
図２は、液晶パネル１０の等価回路を示す要部回路図である。液晶パネル１０は、複数のゲート線と複数のデータ線を格子状に交差させることによりマトリクス状に形成される領域ごとに画素が、アレイ基板上に形成されている。各画素は、薄膜トランジスタＴＦＴと、１画素分の液晶と、当該液晶の画素電極や対向電極、並びに蓄積容量とを備えている。薄膜トランジスタＴＦＴは、ゲート端子が当該画素を制御するためのゲート配線に接続され、ソース端子が当該画素を制御するためのデータ配線に接続され、ドレイン端子が当該画素を構成する液晶の画素電極に接続されている。この液晶の対向電極は図１に示すコモン電圧生成部１１に接続されており、コモン電圧Ｖｃｏｍが供給されている。薄膜トランジスタＴＦＴとアレイ基板の内面に形成された対向電極との間には液晶素材が挟持されており、この薄膜トランジスタＴＦＴと対向電極の間に液晶容量ＬＣが形成されている。なお、図２では、各画素の蓄積容量を区別するために、各構成のあとに括弧書きで行番号と列番号を付記して示してあり、以降の説明では各要素を区別する場合には行番号や列番号を付記し、各要素をまとめて説明する場合は行番号や列番号を付記しない。
【００２３】
液晶パネル１０のアレイ基板の内面には、各ゲート配線と平行に独立の蓄積容量線が形成されている。この蓄積容量線と薄膜トランジスタＴＦＴとの間には蓄積容量ＣＳが接続されている。蓄積容量ＣＳは、その一端が画素電極ＰＸＬに接続されており、他端が当該画素の対応するＣＳ電圧供給ラインに接続されており、ＣＳ電圧生成部から蓄積容量電圧Ｖｃｓが供給されている。
【００２４】
各蓄積容量線は、ＣＳ電圧生成部１２に接続されている。ＣＳ電圧生成部１２は、各行毎に形成されている蓄積容量線ごとに蓄積容量電圧を生成して印加できる。より具体的には、ＣＳ電圧生成部１２は、ゲートドライバー２０ｂに対して供給されるゲートスタートパルスＧＳＰやクロック信号ＧＣＫに基いてゲート配線に対してゲート信号が出力されるタイミングに同期して各蓄積容量線に適切な蓄積容量電圧を生成し、各蓄積容量線に印加する。
【００２５】
各蓄積容量線に最適な蓄積容量電圧とは、蓄積容量ＣＳに充電される電圧を調節することにより各行の画素容量の充電度が同程度になるように調整された電圧を言う。なお、充電度とは、いずれかの液晶容量において極性を完全に反転したときの充電量に対する実際の充電量の割合である。
【００２６】
以上のように構成された液晶パネル１０対し、ゲートドライバー２０ｂは、制御信号を利用して各ゲート配線にゲート制御信号を順次的に供給する。液晶パネル１０は、ゲート制御信号に応答して薄膜トランジスタＴＦＴが水平ライン単位で駆動される。同様に、データドライバー２０ａは、タイミングコントローラーＴ−ｃｏｎから画素データを入力されており、この画像データをアナログ画素信号に変換し、制御信号を利用して１水平期間毎に１水平ライン分の画素信号をデータ配線に入力する。
【００２７】
このとき、データドライバー２０ａは、上述した極性信号ＰＯＬに従って、ライン反転駆動方式で画像データの画像信号をデータ配線に入力する。すなわち、複数のデータ配線のそれぞれに供給する画像信号電圧の極性を、極性信号ＰＯＬに基いて正極性又は負極性として供給する。
【００２８】
（３）ライン反転における充電量：
図３は、１ライン反転方式と２ライン反転方式とにおける各行の充電量の違い説明する図である。同図に示すように、倍速駆動に対応しない液晶パネルを倍速駆動しつつ１ライン反転方式で駆動すると、極性を反転してから液晶容量の充電量が決定するまでの時間（極性反転〜ゲート信号の立ち下がり）としてゲート信号のパルス１つ分の時間しか与えられないため、極性の反転が不十分な状態で画素容量ＬＣの充電量が決定されてしまう。ただし、１ライン反転方式では、１行ごとに極性を反転するため全ての行で同程度に充電が不足するため、全ての行の充電量は同程度である。従って、１ライン反転方式であれば、各ライン間で輝度に不連続が生じず、横筋が発生することはない。
【００２９】
一方、倍速駆動に対応しない液晶パネルを倍速駆動しつつ１ライン反転方式で駆動すると、極性反転してから最初にスキャンされる行では、極性反転されて液晶容量の充電量が決定するまでの時間（極性反転〜ゲート信号の立ち下がり）としてゲート信号のパルス１つ分の時間しか与えられないため、極性反転が不十分な状態で画素容量ＬＣの充電量が決定されてしまう。これに対し、次にスキャンされる行では、極性反転されて液晶容量の充電量が決定するまでの時間（極性反転〜ゲート信号の立ち下がり）としてゲート信号のパルス２つ分の時間が与えられるため、極性反転が十分な状態で画素容量ＬＣの充電量が決定される。従って、２ライン反転方式では、隣接して同極性でスキャンされる１組の２行のうち、最初にスキャンされる行では充電量が不足するが、次にスキャンされる行では充電量が充足する。このように２ライン反転方式では、隣接２ラインで充電度に差が生じるため、同極性の隣接する２ラインの間で輝度に不連続が生じ、その結果、画面に横筋が発生する。
【００３０】
本実施形態では、このような２ライン反転方式における横筋を防止するために、液晶容量ＬＣにおける充電量の過不足を各行ごとに補うように、ＣＳ電圧生成部１２が蓄積容量電圧を調整する。
【００３１】
（４）蓄積容量電圧の調整：
図４は、倍速駆動に対応しない液晶パネルを倍速駆動しつつ２ライン反転方式で駆動したときの画素容量ＬＣの充電量を示す図である。同図では、ｎ〜ｎ＋３行の画素における充電量を示しており、各行について、ゲート信号のパルス、ソース信号の充電量、画素容量の共通電極に印加されるコモン電圧Ｖｃｏｍ、蓄積容量線に印加される蓄積容量電圧Ｖｃｓ、を示してある。
【００３２】
同図に示すように、ｎラインの画素容量ＬＣ（ｎ）にゲート信号の立ち下がりの時点で印加されている画素電極の電圧Ｐ（ｎ）とコモン電圧Ｖｃｏｍとの差分Ｄｉｆｆ（ｎ）と、ｎ＋１ラインの画素容量ＬＣ（ｎ＋１）にゲート信号の立ち下がりの時点で印加されている画素電極の電圧Ｐ（ｎ＋１）とコモン電圧Ｖｃｏｍとの差分Ｄｉｆｆ（ｎ＋１）と、は異なる。同様に、ｎ＋２ラインの画素容量ＬＣ（ｎ＋２）にゲート信号の立ち下がりの時点で印加されている画素電極の電圧Ｐ（ｎ＋２）とコモン電圧Ｖｃｏｍとの差分Ｄｉｆｆ（ｎ＋２）と、ｎ＋３ラインの画素容量ＬＣ（ｎ＋３）にゲート信号の立ち下がりの時点で印加されている画素電極の電圧Ｐ（ｎ＋３）とコモン電圧Ｖｃｏｍとの差分Ｄｉｆｆ（ｎ＋３）とは異なる。
【００３３】
同図では、ＣＳ電圧生成部１２は、充電量の不足するｎライン目の蓄積容量線に印加する電圧をコモン電圧ＶｃｏｍよりもΔＣＳ（ｎ）だけ低電圧側にシフトさせ、充電量が十分なｎ＋１ライン目の蓄積容量線に印加する電圧をコモン電圧ＶｃｏｍよりもΔＣＳ（ｎ＋１）だけ高電圧側にシフトさせている。ここで、ΔＣＳ（ｎ）やΔＣＳ（ｎ＋１）は、Ｖｓｒｃ（ｎ）−（Ｖｃｏｍ−ΔＣＳ（ｎ））＝Ｖｓｒｃ（ｎ＋１）−（Ｖｃｏｍ＋ΔＣＳ（ｎ＋１））、という関係を満たすように選択される。その結果、蓄積容量線に印加する電圧によって、ｎライン目の差分Ｄｉｆｆ（ｎ）とｎ＋１ライン目の差分Ｄｉｆｆ（ｎ＋１）と間の相違が解消することになる。
【００３４】
同様に、ＣＳ電圧生成部１２は、充電量の不足するｎ＋２ライン目の蓄積容量線に印加する電圧をコモン電圧ＶｃｏｍよりもΔＣＳ（ｎ＋２）だけ高電圧側にシフトさせ、充電量が十分なｎ＋３ライン目の蓄積容量線に印加する電圧をコモン電圧ＶｃｏｍよりもΔＣＳ（ｎ＋３）だけ低電圧側にシフトさせる。ここで、ΔＣＳ（ｎ＋２）やΔＣＳ（ｎ＋３）は、Ｖｓｒｃ（ｎ＋２）−（Ｖｃｏｍ＋ΔＣＳ（ｎ＋２））＝Ｖｓｒｃ（ｎ＋３）−（Ｖｃｏｍ−ΔＣＳ（ｎ＋３））、という関係を満たすように選択される。その結果、蓄積容量線に印加する電圧によって、ｎ＋２ライン目の差分Ｄｉｆｆ（ｎ＋２）とｎ＋３ライン目の差分Ｄｉｆｆ（ｎ＋３）との間の相違が解消することになる。
【００３５】
図５は、ＣＳ電圧生成部１２の構成を示す要部回路図である。同図において、ＣＳ電圧生成部１２は、ＣＳ電圧生成回路１２ａとカウンター回路１２ｂとを備えている。ＣＳ電圧生成回路１２ａは、コモン電圧Ｖｃｏｍを入力され、このコモン電圧Ｖｃｏｍをシフト量Ｖｒｅｆだけ上昇させた電圧Ｖｓｈ（＝Ｖｃｏｍ＋Ｖｒｅｆ）と、コモン電圧Ｖｃｏｍをシフト量Ｖｒｅｆだけ低下させた電圧Ｖｓｌ（＝Ｖｃｏｍ−Ｖｒｅｆ）を出力する。このシフト量Ｖｒｅｆは、作業者が半固定抵抗Ｒ１の抵抗値を調整することにより適宜調整可能である。（Ｖｒｅｆは正の数）
【００３６】
なお、上述したＣＳ電圧生成回路１２ａでは、半固定抵抗Ｒ２，Ｒ３を同じ抵抗値にしてあるが、半固定抵抗Ｒ２，Ｒ３を調整することにより、コモン電圧Ｖｃｏｍを上昇させるときのシフト量とコモン電圧を低下させるときのシフト量を微調整することもできる。
【００３７】
カウンター回路１２ｂは、ゲートクロックＧＣＫを入力されており、スキャンされているライン番号をカウントしている。カウンター回路１２ｂは、カウント値に基いて隣接する同極性の２行のいずれがスキャン中であるかを判断したり、各行のスキャン開始タイミングを判断することができる。また、カウンター回路１２ｂは、各行の極性を示す信号（例えば、極性信号ＰＯＬ）を入力されている。カウンター回路１２ｂは、極性を示す信号に基づいて、スキャンされる行の画素に印加されるソース信号の極性を判断することができる。
【００３８】
そして、カウンター回路１２ｂは、正極性の隣接する２行について、最初の行のスキャンが開始されると当該最初の行の蓄積容量線に電圧Ｖｓｌを印加し、次の行のスキャンが開始されると当該次の行の蓄積容量線に電圧Ｖｓｈを印加する。一方、カウンター回路１２ｂは、負極性の隣接する２行について、最初の行のスキャンが開始されると当該最初の行の蓄積容量線に電圧Ｖｓｈを印加し、次の行のスキャンが開始されると当該次の行の蓄積容量線に電圧Ｖｓｌを印加する。
【００３９】
以上のように蓄積容量電圧を印加することにより、第ｎ行と第ｎ＋１行の蓄積容量線に印加する電圧によって第ｎ行の充電不足を補完し、第ｎ＋２行と第ｎ＋３行の蓄積容量線に印加する電圧によって第ｎ＋２行の充電不足を補完することができる。
【００４０】
（５）まとめと変形例： 
以上説明した実施形態によれば、各行ごとに設けられた蓄積容量線を備えており、上記蓄積容量の一端が上記各画素の画素電極に接続され、上記蓄積容量の他端が上記蓄積容量線に接続され、倍速以上で上記液晶パネルを駆動しつつ２ライン反転駆動を行うにあたって、各行の蓄積容量線に印加する電圧を調整することにより、隣接して同極性となる２行を構成する画素であって同一列上で隣接する画素の間に発生する液晶容量の充電度の相違を解消することができる。よって、倍速以上の駆動に対応しておらず、各画素に蓄積容量を備えたアクティブマトリックス方式の液晶パネルを、２ライン反転駆動方式により倍速駆動しても画面上に横筋が発生しないようにすることができる。
【００４１】
なお、上述した実施形態では、倍速駆動に対応しない液晶パネルを倍速駆動する場合を例にとって説明したが、所定速度以下の駆動速度に対応した液晶パネルを当該所定速度よりも高速で駆動しつつ２ライン反転駆動を行う場合にも有効であることは言うまでもない。
【００４２】
なお、上述した実施形態では、隣接する同極性の２行において、最初にスキャンされる行の蓄積容量線に印加する電圧をコモン電圧Ｖｃｏｍから高電圧側にシフトさせ、次にスキャンされる行の蓄積容量線に印加する電圧をコモン電圧Ｖｃｏｍから低電圧側にシフトさせることにより、これら２行の間に発生していた充電ムラを解消するようにしたが、隣接する同極性の２行のどちらか一方の蓄積容量線に印加する電圧をシフトさせることにより、充電ムラを解消するようにしてもよい。
【００４３】
なお、上述した実施形態では２ライン反転方式を例にとって説明したが、ｍライン反転駆動方式（ｍは２以上の整数）で液晶パネルを駆動する場合にも本発明を適用することができる。ｍライン反転駆動方式で液晶パネルを駆動する場合は、同極性となる隣接した複数行の中で、最大の充電量と最小の充電量との差分を補完するように、同極性となる隣接した複数行の各蓄積容量線に印加する蓄積容量電圧を決定すればよい。
【００４４】
なお、上述したＣＳ電圧生成部１２の構成は一例であり、ＣＳ電圧生成回路１２ａを専用のＩＣ（Integrated Circuit1）で実現したり、ソフトウェア的に実現したりすることも出来る。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４６】
１０…液晶パネル、１１…コモン電圧生成部、１２…ＣＳ電圧生成部、１２ａ…ＣＳ電圧生成回路、１２ｂ…カウンター回路、２０…駆動回路、２０ａ…データドライバー、２０ｂ…ゲートドライバー、１００…液晶表示装置、２００…映像処理部、ＤＣＫ…データクロック、ＤＳＰ…データスタートパルス、Ｄｉｆｆ…差分、ＧＣＫ…ゲートクロック、ＧＳＰ…ゲートスタートパルス、Ｒ１…半固定抵抗、Ｒ２…半固定抵抗、Ｒ３…半固定抵抗、ＴＦＴ…薄膜トランジスタ、Ｔ−ｃｏｎ…タイミングコントローラー、Ｖｃｓ…蓄積容量電圧、Ｖｓｈ…電圧、Ｖｓｌ…電圧、Ｖｃｏｍ…コモン電圧
【図１】
2012037772.tif 000003
【図２】
2012037772.tif 000004
【図３】
2012037772.tif 000005
【図４】
2012037772.tif 000006
【図５】
2012037772.tif 000007